(57)【要約】      （修正有）【課題】既存の平板スレート瓦を利用して改修用金属屋根材を被せて固定することにより、防水性、固定強度、施工性及び経済性に優れた平板スレート瓦改修用金属屋根材を提供する。【解決手段】平板をなし、水上側端部１１ｂが上向きに略Ｖ字状に折曲されて被せるべき平板スレート瓦２とこの平板スレート瓦に重ねられた上側の平板スレート瓦２ー３との隙間Ｓから挿入され、その端末が上側の平板スレート瓦２−３の裏面に弾性状態で当接可能に形成され、水下側端部１１ｃが下向きに略角形Ｕ字状に折曲されて被せるべき平板スレート瓦の前端を覆い、その下板部１１ｆが被せるべき平板スレート瓦２−３とこの平板スレート瓦が重ねられた下側の平板スレート瓦との隙間から挿入可能に形成された構成としている。【選択図】図６
2006342603.tif 000002
【特許請求の範囲】
【請求項１】
屋根の野地板上に階段状に重ねられた平板スレート瓦に被せて改修する平板スレート瓦改修用金属屋根材であって、
平板をなし、水上側端部が上向きに略Ｖ字状に折曲されて被せるべき平板スレート瓦と該平板スレート瓦に重ねられた上側の平板スレート瓦との隙間から挿入され、その端末が前記上側の平板スレート瓦の裏面に弾性を有して当接可能に形成され、
水下側端部が下向きに略角形Ｕ字状に折曲されて前記被せるべき平板スレート瓦の前端を覆い、その下板部が前記被せるべき平板スレート瓦と該平板スレート瓦が重ねられた下側の平板スレート瓦との隙間から挿入可能に形成されたことを特徴とする平板スレート瓦改修用金属屋根材。
【請求項２】
前記略角形Ｕ字状に折曲された水下側端部の下板部は、略波形に形成されて前記下側の平板スレート瓦の上面に弾性状態で当接することを特徴とする、請求項１に記載の平板スレート瓦改修用金属屋根材。
【請求項３】
屋根の野地板上に階段状に重ねられた平板スレート瓦に被せて改修する平板スレート瓦改修用金属屋根材であって、
平板をなし、水上側端部が上向きに略Ｖ字状に折曲されて被せるべき平板スレート瓦と該平板スレート瓦に重ねられる上側の平板スレート瓦との隙間から挿入され、かつその端末が前記上側の平板スレート瓦の裏面に弾性状態で当接可能に形成され、
水下側端部が下向きに略角形Ｕ字状に折曲されて前記被せるべき平板スレート瓦の前端を覆い、かつその下板部が前記被せるべき平板スレート瓦と該平板スレート瓦が重ねられる下側の平板スレート瓦との隙間から挿入可能に形成された改修用金属屋根材と、
前記被せるべき平板スレート瓦と前記改修用金属屋根材との間に介在され、下部が前記被せるべき平板スレート瓦が重ねられた下側の平板スレート瓦に被せられた改修用金属屋根材を係止し、上部が前記被せるべき平板スレート瓦と共に前記野地板に固定される固定部材とからなることを特徴とする、平板スレート瓦改修用金属屋根材。
【請求項４】
前記固定部材は、金属板を略角形Ｕ字状に折曲して形成され、その下板部が前記被せるべき平板スレート瓦と該平板スレート瓦が重ねられた下側の平板スレート瓦との隙間から挿入されその端末が前記下側の平板スレート瓦に被せられた前記改修用金属屋根材の水上側端部の折曲部に挿入され、中央部が前記被せるべき平板スレート瓦の前端を覆い、上板部が前記被せるべき平板スレート瓦と共に前記野地板に固定されることを特徴とする、請求項３に記載の平板スレート瓦改修用金属屋根材。
【請求項５】
前記固定部材は、ビスにより前記平板スレート瓦と共に前記野地板に固定されることを特徴とする、請求項３又は請求項４に記載の平板スレート瓦改修用金属屋根材。
【発明の詳細な説明】
【技術分野】
【０００１】
本発明は、既存の平板スレート瓦に被せて改修する平板スレート瓦改修用金属屋根材に関する。
【背景技術】
【０００２】
屋根の改修工法として、図９に示すように野地板１に葺かれた既存の屋根材としての平板スレート瓦（石綿スレート板）２の上に新規屋根材３を被せてビス５で固定して改修する改修工法がある。新規の屋根材３は、所定の大きさの鋼板の水下側端部（前端）を下向きに略直角に折曲し、更にその端末を内方に折曲して係合部３ａを形成し、水上側端部（後端）近傍を上向きに略Ｕ字状に折曲し、更にその端末を下向きに折り返して前記係合部３ａと係合可能な係合部３ｂを形成し、裏面に断熱材及び遮音材を兼ねたバックアップ材４を貼着して形成されている。
【０００３】
この新規の屋根材３は、図示のように既存の平板スレート瓦２に被されて水下側の係合部３ａが直ぐ下側に固定されている新規屋根材３の水上側の係合部３ｂに液密に係合された後、後端部３ｃがビス５により平板スレート瓦２と共に野地板１に固定される。そして、水上側に次の新規屋根材３が被されてその水下側の係合部３ａが前記固定された屋根材３の水上側の係合部３ｂに係合されてその後端部３ｃがビス５で平板スレート瓦２と共に野地板１に固定される。この新規の屋根材３は、既存の平板スレート瓦２の働き幅を無視して順次上に被せる。このようにして新規の屋根材３が既存の平板スレート瓦２に被されて改修される。
【０００４】
また、金属折板からなる屋根材を嵌合して連結配置する横葺金属屋根上に、相互に嵌合可能な改修用屋根材で新たな金属屋根を葺成する改修方法であって、改修用屋根材相互の嵌合部と既設屋根における屋根材の嵌合部とが重なり合わないように改修用屋根材を葺成するようにした改修用金属屋根材も提案されている（例えば、特許文献１参照。）。
【特許文献１】特開２００４−６０２２９号公報（４−５頁、図１）
【発明の開示】
【発明が解決しようとする課題】
【０００５】
しかしながら、上記構造の屋根材は、既存の平板スレート瓦に働き幅を無視して一定幅の新規屋根材を順次被せる工法であるため、新設同様に葺くことが可能であるが、仕上がり面が高くなり、特に壁との取り合い部における躯体処理や、二階の窓の敷居と一階の屋根の壁の取り合い部との間隔が狭い場合等における躯体処理が難しく、防水性に問題が生ずるおそれがある。また、仕上がり面が高くなるために軒先から滴下する雨が既存の雨樋に入り難くなる。また、既存の平板スレート瓦の段差部とバックアップ材との間に隙間ができる等の問題もある。
【０００６】
また、鋼板の大きさを平板スレート屋根材の正規の働き幅に合わせた一定の形状に形成し平板スレート瓦に被せるようにした屋根材もある。しかしながら、一般に既存の平板スレート瓦は、働き幅が一定に保たれていないことが多い。このため、働き幅が一定形状に形成された新規の屋根材を被せる場合施工性が悪く、防水性に問題が発生しやすくなる。また、各取り合い部での収まりが悪く、特に壁との取り合い部での漏水が多くなりやすく、この漏水事故を防止するために躯体を傷めて処理する工法が一般的であり、好ましいことではない。
【０００７】
本発明の目的は、既存の平板スレート瓦を利用して改修用の金属屋根材を被せて固定することにより、防水性、固定強度、施工性及び経済性に優れた平板スレート瓦改修用金属屋根材を提供することにある。
【課題を解決するための手段】
【０００８】
上記目的を達成するために本発明に係わる平板スレート瓦改修用金属屋根材は、屋根の野地板上に階段状に重ねられた平板スレート瓦に被せて改修する平板スレート瓦改修用金属屋根材であって、平板をなし、水上側端部が上向きに略Ｖ字状に折曲されて被せるべき平板スレート瓦と該平板スレート瓦に重ねられた上側の平板スレート瓦との隙間から挿入され、その端末が前記上側の平板スレート瓦の裏面に弾性を有して当接可能に形成され、水下側端部が下向きに略角形Ｕ字状に折曲されて前記被せるべき平板スレート瓦の前端を覆い、その下板部が前記被せるべき平板スレート瓦と該平板スレート瓦が重ねられた下側の平板スレート瓦との隙間から挿入可能に形成されたことを特徴としている。
【０００９】
改修用金属屋根材を被せるべき平板スレート瓦に載置して略Ｖ字状に折曲されている水上側端部を被せるべき平板スレート瓦とこの平板スレート瓦に重ねられた上側の平板スレート瓦との隙間から挿入し、略角形Ｕ字状に折曲された水下側端部により被せるべき平板スレート瓦の前端を覆い、その下板部を被せるべき平板スレート瓦とこの平板スレート瓦が重ねられた下側の平板スレート瓦に被せられた改修用金属屋根材との隙間に挿入する。
【００１０】
改修用金属屋根材は、被せるべき平板スレート瓦の働き幅の全面を覆い、水上側端部の端末が被せるべき平板スレート瓦に重ねられている上側の平板スレート瓦の裏面に弾性状態で当接して保持され、水下側端部の下板部が被せるべき平板スレート瓦とこの下側の平板スレート瓦に被せられた改修用金属屋根材とにより保持される。このようにして既存の平板スレート瓦に順次改修用金属屋根材を被せて改修する。
【００１１】
また、本発明の請求項２に記載の平板スレート瓦改修用金属屋根材は、請求項１に係わる平板スレート瓦改修用金属屋根材において、前記略角形Ｕ字状に折曲された水下側端部の下板部は、略波形に形成されて前記下側の平板スレート瓦の上面に弾性状態で当接することを特徴としている。
【００１２】
改修用金属屋根材は、水下側端部の略波形をなす下板部が被せるべき平板スレート瓦の下側の平板スレート瓦に被せられた改修用金属屋根材の上面に弾性状態で密着する。これにより、水下側端部が上下の平板スレート瓦の隙間に良好に固定されると共に前記隙間からの雨水の浸入も防止される。
【００１３】
また、本発明の請求項３に記載の平板スレート瓦改修用金属屋根材は、屋根の野地板上に階段状に重ねられた平板スレート瓦に被せて改修する平板スレート瓦改修用金属屋根材であって、平板をなし、水上側端部が上向きに略Ｖ字状に折曲されて被せるべき平板スレート瓦と該平板スレート瓦に重ねられる上側の平板スレート瓦との隙間から挿入され、かつその端末が前記上側の平板スレート瓦の裏面に弾性状態で当接可能に形成され、水下側端部が下向きに略角形Ｕ字状に折曲されて前記被せるべき平板スレート瓦の前端を覆い、かつその下板部が前記被せるべき平板スレート瓦と該平板スレート瓦が重ねられる下側の平板スレート瓦との隙間から挿入可能に形成された改修用金属屋根材と、
前記被せるべき平板スレート瓦と前記改修用金属屋根材との間に介在され、下部が前記被せるべき平板スレート瓦が重ねられた下側の平板スレート瓦に被せられた改修用金属屋根材を係止し、上部が前記被せるべき平板スレート瓦と共に前記野地板に固定される固定部材とからなることを特徴としている。
【００１４】
改修用金属屋根材を被せるべき平板スレート瓦の上に載置して略Ｖ字状に折曲されている水上側端部を、被せるべき平板スレート瓦とこの平板スレート瓦に重ねられた上側の平板スレート瓦との隙間から挿入し、略角形Ｕ字状に折曲された水下側端部により被せるべき平板スレート瓦の前端を覆い、その下板部を被せるべき平板スレート瓦とこの平板スレート瓦の下側の平板スレート瓦に被せられた改修用金属屋根材との隙間に挿入する。
【００１５】
次に、改修用金属屋根材を被せた平板スレート瓦の上側の平板スレート瓦上に固定部材を配置し、その下部の端末により下側の平板スレート瓦に被せられた改修用金属屋根材を係止し、その上部を上側の平板スレート瓦と共に野地板に固定する。そして、固定部材を固定した上側の平板スレート瓦に上述と同様にして改修用金属屋根を被せる。このようにして、平板スレート瓦に被せた改修用金属屋根材がずれ落ちることを防止する。
【００１６】
また、本発明の請求項４に記載の平板スレート瓦改修用金属屋根材は、請求項３に係わる平板スレート瓦改修用金属屋根材において、前記固定部材は、金属板を略角形Ｕ字状に折曲して形成され、その下板部が前記被せるべき平板スレート瓦と該平板スレート瓦が重ねられた下側の平板スレート瓦との隙間から挿入されその端末が前記下側の平板スレート瓦に被せられた前記改修用金属屋根材の水上側端部の折曲部に挿入され、中央部が前記被せるべき平板スレート瓦の前端を覆い、上板部が前記被せるべき平板スレート瓦と共に前記野地板に固定されることを特徴としている。
【００１７】
固定部材は、略角形Ｕ字状に折曲された下板部が被せるべき平板スレート瓦と下側の平板スレート瓦に被せられた改修用金属屋根材との隙間から挿入され、その端末が下側の平板スレート瓦に被せられた改修用金属屋根材の水上側端部のＶ字状をなす折曲部に挿入されて当該改修用金属屋根材を係止し、中央部が被せるべき平板スレート瓦の前端を覆い、上板部が被せるべき平板スレート瓦と共に野地板に固定されて下側の平板スレート瓦に被せられた改修用金属屋根材がずれ落ちることを防止する。
【００１８】
また、本発明の請求項５に記載の平板スレート瓦改修用金属屋根材は、請求項３又は請求項４に係わる平板スレート瓦改修用金属屋根材において、前記固定部材は、ビスにより前記平板スレート瓦と共に前記野地板に固定されることを特徴としている。
【００１９】
改修用金属屋根材の固定部材を平板スレート瓦と共に野地板にビスで固定することで、平板スレート瓦が下側の平板スレート瓦に強固に押し付けられて固定され、上下の平板スレート瓦の隙間が狭くなり、これに伴い挿入された改修用金属屋根材の略Ｖ字状に折曲された水上側端部の端末が上側の平板スレート瓦の裏面に弾性状態で密接し、略角形Ｕ字状に折曲された水下側端部の下板部が下側の平板スレート瓦に被せられた改修用金属屋根材に密接する。これにより、改修用金属屋根材による平板スレート瓦の段差部の隙間の液密性が向上する。
【発明の効果】
【００２０】
本発明によると、既存の平板スレート瓦を利用して改修用金属屋根材を固定することで、既存の屋根の意匠を損なうことなく、しかも、極めて単純な構造で防水性、固定強度、施工性に優れた屋根材を葺成することができる。更に改修用金属屋根材の大幅なコストの低減を図ることが可能となると共に施工性に優れていることと相俟って改修工事費を安く抑えることが可能となり、経済性にも優れている。
【００２１】
また、改修用金属屋根材の水上側端部及び水下側端部を既存の平板スレート瓦の段差部の隙間に収めることができ、各取り合い部特に、壁との取り合い部の構造が簡単となり、施工が極めて容易となると共に躯体を傷めることがない。更に、既存の平板スレート瓦の働き幅が多少変わっていても改修用金属屋根材の働き幅の調整が極めて簡単であり、作業性の向上が図られる。また、施工途中で雨が降ってきたような場合でも既存の平板スレート瓦と新規に被せた改修用金属屋根材との間に雨水が浸入することがなく、工事を中断することができる。
【発明を実施するための最良の形態】
【００２２】
以下、本発明の一実施形態に係わる平板スレート瓦改修用金属屋根材について図面に基づいて説明する。
【００２３】
図１は、改修用金属屋根材（以下単に「金属屋根材」という）の平面図を示し、金属屋根材１１は、平板状をなし、例えば、横の長さ（横幅）が既存の平板スレート瓦２の横幅の２倍（２枚分）よりも僅かに長く、縦の長さ（縦幅）が既存の平板スレート瓦２の働き幅２ａよりも僅かに広い横方向に細長い長方形状とされている。
【００２４】
図２及び図４に示すように金属屋根材１１は、平板部１１ａの水上側端部（上端部）１１ｂが全幅に亘り上側に側面から見て略Ｖ字状に折り返され、水下側端部（下端部）１１ｃが全幅に亘り側面から見て略角形Ｕ字状に折曲され、更に平板部１１ａの左右両側部１１ｄが下側かつ内方に向けて略Ｕ字状に折曲されてあざ折部とされている（以下「あざ折部１１ｄ」という）。
【００２５】
図４に示すように略角形Ｕ字状をなす水下側端部１１ｃの中央部（前板部）１１ｅが平板スレート瓦２の板厚よりも僅かに高く形成され、下板部１１ｆが全幅に亘り横方向に沿って波形をなして形成されており、その端末１１ｇが内側に折り返されている。水下側端部１１ｃは、端末１１ｇが折り返されていることで、後述するように階層状に順次重ねられた平板スレート瓦の段差部の隙間に挿入しやすくなっている。
【００２６】
尚、平板スレート瓦の軒先の施工には種々の方法があり、例えば、図５に示すように平板スレート瓦が２枚重ねられた構造の場合、当該軒先の平板スレート瓦に被せるべき金属屋根材１１は、水下側端部１１ｃの中央部１１ｅがこれに応じて図４に示す場合に比べて２枚分の高に形成されている。
【００２７】
かかる形状の金属屋根材１１は、金属板例えば、薄板鋼板により形成されており、全面に防錆塗装が施され、かつ表面に所定のカラー塗装が施されている。尚、金属屋根材としては、鋼板に限るものではなく、銅板或いはアルミニウム板でもよい。
【００２８】
図３及び図４に示すように金属屋根材１１の平板部１１ａの裏面にはバックアップ材１２が貼着されている。このバックアップ材１２は、板厚が金属屋根材１１のあざ折部１１ｄの高さ程度とされており、平板部１１ａの水下側端部１１ｃの端末１１ｇ近傍位置から略中央部まで延出し、両側部が金属屋根材１１のあざ折部１１ｄから後述する捨板１４（図２参照）の幅の略半分程度離隔している。このバックアップ材１２は、例えば、発泡スチロール部材で形成されており、断熱材及び遮音材としての機能を有している。尚、バックアップ材１２は、必ずしも必要とするものではない。
【００２９】
図２に戻り固定部材１３は、帯状の鋼板を側面から見て略角形Ｕ字状に折曲して形成されており、中央部１３ａが図６に示すように平板スレート瓦２の水下側端部に外装され、上板部１３ｂが既存の平板スレート瓦２と共に野地板１に固定される。下板部１３ｃは、中央部１３ａと僅かに鈍角をなして延出されており、既存の上下の平板スレート瓦の隙間に挿入されて下側の平板スレート瓦に被された金属屋根材１１のＶ字状をなす水上側端部１１ｂに挿入される。この固定部材１３は、所謂吊子と称されており、既存の平板スレート瓦と改修用の金属屋根材１１との間に介在されて当該金属屋根板１１がずれ落ちることを防止するためのものである。
【００３０】
捨板１４は、帯状の鋼板を略Ｌ字状に折曲して形成され、上板部１４ａが金属屋根板１１の平板部１１ａよりも僅かに長く、水上側端部（上端部）１４ｂが上側に略Ｖ字状に折り返されて金属屋根材１１の略Ｖ字状に折曲された水上側端部１１ｂの外側に装着されて係止可能とされている。
【００３１】
また、前板部１４ｃは、金属屋根材１１の水下側端部１１ｃの中央部１１ｅよりも僅かに短く形成されており、当該水下側端部１１ｃ内に収納可能とされている。そして、捨板１４の上板部１４ａ及び前板部１４ｃの両側部１４ｄは、金属屋根材１１のあざ折部１１ｄと反対に上側にかつ内方に向けて略Ｕ字状に折曲されてあざ折部とされている（以下「あざ折部１４ｄ」という）。この捨板１４は、左右の隣り合う金属屋根材１１の当接するあざ折部１１ｄ、即ち継ぎ目と既存の平板スレート瓦との間に介在されて継ぎ目から雨水が浸入することを防止するためのものである。
【００３２】
これらの固定部材１３及び捨板１４も金属屋根板１１と同様に鋼板に限るものではなく、銅板或いはアルミニウム板により形成しても良い。この場合、金属屋根部材１１と固定部材１３及び捨板１４は、同じ材質のものを使用することが好ましい。
【００３３】
以下に前記金属屋根材１１により既存の平板スレート瓦の屋根を改修する方法について説明する。
【００３４】
図６に示すように軒先の１段目の平板スレート瓦２-1に金属屋根材１１を載置し、略Ｖ字状に折曲された水上側端部１１ｂを２段目の平板スレート瓦２-2の水下側端部との段差部の僅かな隙間Ｓに押し込みながら下側に略角形Ｕ字状をなす水下側端部１１ｃを１段目の平板スレート瓦２-1の水下側端部に被せる。
【００３５】
水下側端部１１ｃの波形をなす下板部１１ｆ及び端末１１ｇは、全幅に亘り１段目の平板スレート瓦２-1の水下側端部裏面に弾性状態で当接して保持される。また、水上側端部１１ｂの端末１１ｇの角部（エッジ）１１ｈが２段目の平板スレート瓦２-2の裏面に弾性状態で当接している。このようにして１段目の平板スレート瓦２-1が金属屋根材１１により覆われる。
【００３６】
次いで、１段目の平板スレート瓦２-1に被せた金属屋根材１１と２段目の平板スレート瓦２-2との隙間から前記金属屋根材１１の水上側端部１１ｂ内に固定部材１３の下板部１３ｃを挿入し、中央部１３ａを２段目の平板スレート瓦２-2の水下側端面に当接させ、上板部１３ｂの上部を平板スレート瓦２-2、平板スレート瓦２-1と共にビス１５により野地板１に固定する。
【００３７】
このとき、下板部１３ｃの端末と水上側端部１１ｂの折曲部とはこれらの金属屋根材１１及び固定部材の熱膨張を考慮して僅かに離隔させてある。また、ビス１５の固定位置を水上側端部１１ｂの僅か上方位置として金属屋根材１１を貫通させないようにすることで、前記熱膨張に起因するビス孔の変形及びこれに伴う金属屋根材１１の錆の発生等を有効に防止することが可能となり好ましい。尚、ビス１５の固定位置は、上記位置に限るものではなく図６の中央部に２点鎖線Ｌで示す位置で固定するようにしても良い。
【００３８】
１段目の平板スレート瓦２-1と２段目の平板スレート瓦２-2を固定部材１３と共にビス１５で野地板１に固定することにより、２段目の平板スレート瓦２-2により金属屋根材１１のＶ字状をなす水上側端部１１ｂが押圧され、その端末１１ｇの角部（エッジ）１１ｈが平板スレート瓦２-2の裏面に食い込んで係止される。これにより、１段目の平板スレート瓦２-1に被せられた金属屋根材１１がずれ落ちることを防止される。
【００３９】
また、何らかの原因で金属屋根材１１に下向きに大きな力が作用して当該金属屋根材１１がずれた場合には水上側端部１１ｂの折曲部が固定部材１３の下板部１３ｃの端面に当接して係止され当該位置に保持される。これより、平板スレート瓦２-1に被された金属屋根材１１がずれ落ちることが防止される。また、固定部材１３を横長の金属屋根材１１の横方向に間隔を存して複数箇所例えば、左右両側近傍の２箇所に設けることで、金属屋根材１１がずれ落ちることをより有効に防止することが可能となる。
【００４０】
次いで、２段目の平板スレート瓦２-2に金属屋根材１１を被せ、水下側端部１１ｃの波形をなす下板部１１ｆを１段目の平板スレート瓦２-1に被せた金属屋根材１１と２段目の平板スレート瓦２-2との間の隙間Ｓに押し込みながら、水上側端部１１ｂを３段目の平板スレート瓦２-3との間の隙間Ｓに押し込む。
【００４１】
水下側端部１１ｃの波形をなす下板部１１ｆ及び端末１１ｇは、１段目の平板スレート瓦２-1に被せた金属屋根材１１と固定部材１３の下板部１３ｃとに弾性状態で当接することで液密性が保持され、隙間Ｓへの雨水の浸入が防止される。更にＶ字状をなす水上側端部１１ｂが平板スレート瓦２-3の裏面に弾性状態で当接し、その端末１１ｇの角部（エッジ）１１ｈが平板スレート瓦２-3の裏面に食い込むことで隙間Ｓに雨水が浸入した場合でも水上側端部１１ｂにより阻止（水返し）されて当該水上側端部１１ｂの上方への浸入が防止される。これにより、既存の平板スレート瓦２と野地板１との間に雨水が浸入することが完全に防止される。
【００４２】
また、左右の隣り合う金属屋根材１１の継ぎ目の下側に図２に示す捨板１４を配置し、略Ｖ字状をなす水上側端部１４ｂを金属屋根材１１の略Ｖ字状をなす水上側端部１１ｂに被せて係止し、これら両金属屋根材１１のあざ折部１１ｄと捨板１４の上板部１４ａ、捨板１４のあざ折部１４ｄと前記左右隣り合う金属屋根材１１のあざ折部１１ｄ近傍の平板部１１ａの裏面及び中央部１１ｅの裏面とを当接させる。
【００４３】
これにより、左右の隣り合う金属屋根材１１の継ぎ目から浸入した雨水は、金属屋根材１１の隣り合うあざ折部１１ｄと捨板１４の対向するあざ折部１４ｄとにより金属屋根材１１と平板スレート瓦２との間に浸入することが防止され、捨板１４の上板部１４ａ、前板部１４ｃから１段目の平板スレート瓦２に被された金属屋根材１１上に流れ落ちる。
【００４４】
金属屋根材１１は、水上側端部１１ｂを重なり合う上下の平板スレート瓦２の隙間に単に差し込むだけの構造であるため、既存の平板スレート瓦２の施工に起因して働き幅が多少変化している場合でも何ら問題なくかつ簡単に対処することができる。従って、作業性の向上が図られる。このようにして、順次平板スレート瓦２に金属屋根材１１を被せる。また、作業途中で例えば、雨が降ってきた場合でも既存の平板スレート瓦２と新たに被せた改修用金属屋根材１１との間に雨水が浸入することがなく、作業を中断することができる。
【００４５】
そして、図７に示すように最上段の平板スレート瓦例えば、壁１７との取り合い部の平板スレート瓦２-nに被せる金属屋根材１１は、平板スレート瓦２-nの雨押え１８が被されている部分の長さに応じて平板部１１ａの水上側を切断し、その端末１１ａ’を雨押え１８と平板スレート瓦２-nとの隙間に押し込む。これにより、壁１７との取り合い部の構造を何ら変更することなく簡単に金属屋根材１１を被せることができ、漏水を防止することができる。しかも、躯体を傷めることがない。このようにして、既存の平板スレート瓦２の段差と一致させて新規の金属屋根材１１を被せることができる。これにより、既存の屋根の意匠を保持することができる。
【００４６】
また、金属屋根材１１の裏面に貼着されている断熱性及び遮音性を有するバックアップ材１２より夏季における熱暑や冬季における冷却の影響及び雨音を有効に抑えることができる。
【００４７】
図８は本発明に係わる金属屋根材１１の変形例を示し、金属屋根材１１の水上側端部を上側に略Ｖ字状に折り返して形成し（図３参照）、水下側端部１１ｃの下板部１１ｆを単に平板としたものである。金属屋根材１１は、上向きに略Ｖ字状に折り返した水上側端部１１ｂの端末１１ｇを上段の平板スレート瓦２の裏面に弾性状態で当接させて係止することにより水返しの機能を持たせることができるため、水下側端部１１ｃの下板部１１ｆを単に平板としても隙間Ｓへの雨水の浸入を防止することができる。このような構成によれば水下側端部１１ｃの成形が容易となると下板部１１ｆを短くすることが可能となり、材料費が抑えられてコストの低減が図られる。
【００４８】
尚、上記金属屋根材１１の水上側端部１１ｂの端末を図４に示す水下側端部１１ｃの下板部１１ｆと同様に波形に形成して、上側の平板スレート瓦２の裏面に弾性状態で当接させるようにしてもよい。
【図面の簡単な説明】
【００４９】
【図１】本発明に係わる平板スレート瓦改修用金属屋根材の平面図である。
【図２】図１に示した平板スレート瓦改修用金属屋根材の斜視図である。
【図３】図２に示した平板スレート瓦改修用金属屋根材の一部切欠下面図である。
【図４】図２に示した平板スレート瓦改修用金属屋根材の矢線IV-IV方向の断面図である。
【図５】図４に示した平板スレート瓦改修用金属屋根材の軒先の平板スレート瓦に使用する金属屋根材の水下側端部の説明図である。
【図６】本発明に係わる平板スレート瓦改修用金属屋根材を既存の平板スレート瓦に被せて改修する場合の説明図である。
【図７】図６に示した金属屋根材と壁との取り合い部の説明図である。
【図８】図４に示した金属屋根部材の水下側端部の変形例を示す説明図である。
【図９】従来の平板スレート瓦改修用金属屋根材を既存の平板スレート瓦に被せて改修する場合の説明図である。
【符号の説明】
【００５０】
１    野地板
２    平板スレート瓦
２ａ    働き幅
１１    金属屋根材
１１ａ    平板部
１１ａ’    端末
１１ｂ    水上側端部
１１ｃ    水下側端部
１１ｄ    あざ折部（側部）
１１ｅ    中央部
１１ｆ    下板部
１１ｇ    端末
１１ｈ    角部（エッジ）
１２    バックアップ材
１３    固定部材（吊子）
１３ａ    中央部
１３ｂ    上板部
１３ｃ    下板部
１４    捨板
１４ａ    上板部
１４ｂ    水上側端部
１４ｃ    前板部
１４ｄ    あざ折部（側部）
１５    ビス
１７    壁
１８    雨押え
Ｓ    隙間
【図１】
2006342603.tif 000003
【図２】
2006342603.tif 000004
【図３】
2006342603.tif 000005
【図４】
2006342603.tif 000006
【図５】
2006342603.tif 000007
【図６】
2006342603.tif 000008
【図７】
2006342603.tif 000009
【図８】
2006342603.tif 000010
【図９】
2006342603.tif 000011